(57)【要約】【課題】金属同士の衝突や摩擦による傷の発生および金属粉の発生を防止することができ、さらに、種々の形状のフック部のみならずＳ字型フック等の他の吊具に簡易に装着可能な吊具用取付具を提供する。【解決手段】本発明の吊具用取付具１は、柔軟性のある樹脂製中空チューブであって、その内層３０と外層５０とが滑性樹脂層であり、該滑性樹脂層は、摩擦抵抗が小さい低粘度および高流動性のポリオレフィン系樹脂をベース材料とし、このベース材料より高粘度および低流動性のポリオレフィン系樹脂からなる大小各種の粉末又は粒子の添加材を混合した合成樹脂からなる。【選択図】図１
2016034469.tif 000002
【特許請求の範囲】
【請求項１】
衣服ハンガーやＳ字型フック等の吊具に取り付ける吊具用取付具であって、
柔軟性のある樹脂製中空チューブからなり、その内層と外層とが滑性樹脂層からなること
を特徴とする吊具用取付具。
【請求項２】
前記滑性樹脂層は押出成形により成形されていることを特徴とする請求項１に記載の吊具用取付具。
【発明の詳細な説明】
【技術分野】
【０００１】
本発明は、衣服ハンガーやバック等を吊り下げるＳ字型フック等の吊具に取り付ける吊具用取付具に関する。
【背景技術】
【０００２】
従来から、業務用の衣料品陳列什器等においては、美観や耐久性の点から衣服ハンガーの吊下げフックと吊下げパイプにはいずれもクロムメッキが施されている。従って、吊下げパイプに衣服ハンガーを吊り下げた際には、金属同士が衝突し該パイプに傷が付くことがある。さらに、該パイプ上に吊り下げられた衣服ハンガーを左右に移動させると、金属同士の摩擦により吊下げパイプに更に傷が付いたり、場合によっては金属が削られて金属粉が発生するといった問題があった。
【０００３】
この問題を解決するものとして、特許文献１に記載の衣服ハンガー用取付部品がある。この衣服ハンガー用取付部品５０は、衣服ハンガー２０Ｙの吊下用フック部１４Ｙの吊下領域を挟持するプラスチック等からなる軸体５１と、軸体５１を軸心に回転する円筒状のプラスチック等からなる回転ロール５３を有して構成されている。このように構成された衣服ハンガー用取付部品５０を既存の衣服ハンガーの吊下用フック部１４Ｙに取り付けて吊下げパイプに吊り下げれば、衣服ハンガーを該パイプに吊り下げる際に金属同士の衝突を防止することができるとともに、左右に移動する際に回転ロール５３が回転するので、スムーズに衣服ハンガーを移動させることができ、従来生じていた金属同士の摩擦による傷の発生や金属粉の発生を防止することができる。
【先行技術文献】
【特許文献】
【０００４】
【特許文献１】特開２００５−２９６３０８号公報
【発明の概要】
【発明が解決しようとする課題】
【０００５】
ところで、衣服ハンガーのフック部の形状は通常は円弧状に形成されているものの、その形状、大きさ、パイプの径の大きさ等は種々のものがあるが、特許文献１に記載の衣服ハンガー用取付部品５０においては、軸片５４、５６の内層側に吊下領域とほぼ同形の内部空間５２を設け、この内部空間５２に吊下領域を収容した状態でフック部１４Ｙが挟持されるように構成されているため、この種々存在するフック部の形状等に対応することができないといった問題がある。更に、この衣服ハンガー用取付部品は、衣服ハンガー専用に作られているので、例えば、Ｓ字型フック等の他の吊具には適用できない。
【０００６】
本発明は、このような問題を解決するためになされたものであり、その目的とするところは、従来生じていた金属同士の衝突や摩擦による傷の発生および金属粉の発生を防止することができ、さらに、種々の形状のフック部のみならずＳ字型フック等の他の吊具にも簡易に装着可能な吊具用取付具を提供することを目的とする。
【課題を解決するための手段】
【０００７】
前記の目的を達成するため、本発明は、衣服ハンガーやＳ字型フック等の吊具に取り付ける吊具用取付具であって、柔軟性のある樹脂製中空チューブからなり、その内層と外層とが滑性樹脂層からなることを特徴とする。
【０００８】
また、前記滑性樹脂層は押出成形により成形されてもよい。
【発明の効果】
【０００９】
本発明の吊具用取付具によれば、柔軟性のある樹脂製中空チューブからなり、その内層と外層とが滑性樹脂層からなるように構成したので、従来生じていた金属同士の衝突や摩擦による傷の発生および金属粉の発生を防止することができ、さらに、種々の形状のフック部のみならずＳ字型フック等の他の吊具にも簡易に装着可能といった効果を奏する。
【図面の簡単な説明】
【００１０】
【図１】本発明の吊具用取付具の図であり、（ａ）は正面図、（ｂ）は側面図、（ｃ）はＡ−Ａ線断面図である。
【図２】本発明の吊具用取付具の取り付け方法を説明するための図である。
【発明を実施するための形態】
【００１１】
以下、本発明を実施するための形態について、図面を参照しながら説明する。なお、以下の実施形態においては、吊具として衣服ハンガーを一例として説明するが、これに限定されるものではなく、Ｓ字型フック等の他の吊具にも適用可能である。
【００１２】
図１に示すように、本発明の吊具用取付具１は、その径方向中央に、衣服ハンガー１０のフック部１１（図２参照）を挿入させる中空部２０が形成された円筒構造体であって、当該径方向において、最も内側に配置される内層３０と、当該内層３０の外側を覆う中間層４０と、さらに当該中間層４０の外側を覆う外層５０と、を有するサーモポリオレフィン（熱可塑性オレフィン類）からなる柔軟性のある樹脂製中空チューブである。
【００１３】
内層３０および外層５０は、その構成材料を、摩擦抵抗が小さい低粘度および高流動性のポリオレフィン系樹脂をベース材料とし、このベース材料より高粘度および低流動性のポリオレフィン系樹脂からなる大小各種の粉末又は粒子の添加材を混合した合成樹脂からなる滑性樹脂層である。例えば、このベース材料としては、メルトフローレート０．５ｇ以上／１０分（ＡＳＴＭ  Ｄ１２３８  １９０℃）の低粘度ポリエチレンを使用する。また、添加材としては、メルトフローレート０．１ｇ以下／１０分（ＡＳＴＭ  Ｄ１２３８  １９０℃）の高粘度ポリエチレンを使用する。
【００１４】
そして、内層３０、中間層４０および外層５０の材料の樹脂材を共押出しすることにより、本発明の吊具用取付具１は成形することができる。
【００１５】
本発明の吊具用取付具１は、衣服ハンガー１０のフック部１１に取り付けて使用するものであることから、中空部４０の径の大きさや、その全長はフック部１１に取り付けた際にフック部１１の全体を覆い、かつ、フック部１１との密着性がよい状態に形成するのが好ましいが、現存の衣服ハンガーのフック部の形状、大きさ等を考慮すると、径の直径は４ｍｍ、全長は１０ｃｍくらいが好適である。
【００１６】
次いで、このように構成された吊具用取付具１の取り付け方法について図２を参照して説明する。なお、図２においては、説明の便宜上、吊具用取付具１を透明部材とし、吊具用取付具１内のフック部１１が見えるように図示している。
【００１７】
図２（ａ）に示すように、吊具用取付具１の中空部２０の一端の開口２０Ａをフック部１１の先端１１Ａに向け、開口２０Ａから先端１１Ａを挿入し、その状態から同図（ｂ）のように吊具用取付具１を押し込んでいく。すると、順次、中空部２０内にフック部１１が挿入され、フック部１１の大概の部分は同図（ｃ）のように吊具用取付具１により被覆された状態となる。
【００１８】
以上説明したように、本発明の吊具用取付具１においては、内層３０を滑性樹脂層としたことから、フック部１１に取り付ける際に取り付けが容易である。また、外層５０を滑性樹脂層としたことから、吊下げパイプ上に吊り下げられた衣服ハンガーを左右に移動させる際にスムーズに動かすことができるので、従来生じていた金属同士の摩擦による傷の発生や金属粉の発生を防止することができる。
【符号の説明】
【００１９】
１      吊具用取付具
１０    衣服ハンガー
１１    フック部
１１Ａ  先端
２０    中空部
２０Ａ  開口
３０    内層
４０    中間層
５０    外層
【図１】
2016034469.tif 000003
【図２】
2016034469.tif 000004
【手続補正書】
【提出日】平成27年6月23日(2015.6.23)
【手続補正１】
【補正対象書類名】明細書
【補正対象項目名】０００７
【補正方法】変更
【補正の内容】
【０００７】
前記の目的を達成するため、本発明は、金属製のパイプに吊り下げる衣服ハンガーやＳ字型フック等の吊具において、当該吊具の金属製のフック部に着脱可能に取り付ける吊具用取付具であって、柔軟性のある樹脂製中空チューブからなり、その内層と外層は金属との摩擦抵抗が小さい合成樹脂からなる滑性樹脂層であって、前記滑性樹脂層は、共押出しにより前記内層と前記外層との間にある中間層と一体成形されていることを特徴とする。
【手続補正２】
【補正対象書類名】明細書
【補正対象項目名】０００８
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
金属製のパイプに吊り下げる衣服ハンガーやＳ字型フック等の吊具において、当該吊具の金属製のフック部に着脱可能に取り付ける吊具用取付具であって、
柔軟性のある樹脂製中空チューブからなり、その内層と外層は金属との摩擦抵抗が小さい合成樹脂からなる滑性樹脂層であって、
前記滑性樹脂層は、共押出しにより前記内層と前記外層との間にある中間層と一体成形されていることを特徴とする吊具用取付具。